(57)【要約】【課題】  本発明は宝石や硬度が高い素材を複合的に取付けて、装飾品のデザインの幅を拡大し、従来では考えることができない新たな装飾品を得るにある。【解決手段】  取付孔が形成されたベース体と、このベース体の取付孔に下端部が挿入固定される上部に複数個の爪が形成された中央に軸孔を有する外側留部材と、この外側留部材の複数個の爪で取付けられる外側留部材の軸孔へ軸を挿入することができる軸挿入孔が形成された宝石や硬度の高い素材で形成された外側装飾品と、先端部に複数個の爪が形成された装飾品の軸挿入孔より外側留部材の軸孔を通過して揺れ動き可能あるいは固定的に外側留部材の端部あるいはベース体に取付けられる内側留部材と、この内側留部材の複数個の爪で取付けられた宝石や硬度の高い素材で形成された内側装飾品とで装飾品を構成している。【選択図】  図４
2008264288.tif 000002
【特許請求の範囲】
【請求項１】
取付孔が形成されたベース体と、このベース体の取付孔に下端部が挿入固定される上部に複数個の爪が形成された中央に軸孔を有する外側留部材と、この外側留部材の複数個の爪で取付けられる、該外側留部材の軸孔へ軸を挿入することができる軸挿入孔が形成された宝石や硬度の高い素材で形成された外側装飾品と、先端部に複数個の爪が形成された前記装飾品の軸挿入孔より前記外側留部材の軸孔を通過して揺れ動き可能あるいは固定的に該外側留部材の端部あるいは前記ベース体に取付けられる内側留部材と、この内側留部材の複数個の爪で取付けられた宝石や硬度の高い素材で形成された内側装飾品とからなることを特徴とする装飾品。  
【請求項２】
指輪やペンダント等の取付孔が形成されたベース体と、このベース体の取付孔に下端部が挿入固定される上部に複数個の爪が形成された中央に軸孔を有する外側留部材と、この外側留部材の複数個の爪で取付けられる中央部に軸挿入孔が形成された宝石、ガラス、チタン、セラミックス等の硬い素材で形成された外側装飾品と、先端部に複数個の爪が形成された前記外側装飾品の軸挿入孔より前記外側留部材の軸孔を通過して揺れ動き可能あるいは固定的に、該外側留部材の端部あるいは前記ベース体に取付けられる内側留部材と、この内側留部材の複数個の爪で取付けられた宝石、ガラス、チタン、セラミックス等の硬い素材で形成された内側装飾品とからなることを特徴とする装飾品。
【発明の詳細な説明】
【技術分野】
【０００１】
本発明は宝石や硬度が高い素材を複合的に取付けた指輪、ペンダント、ブローチ、ネックレス、イヤリング等の装飾品に関する。
【背景技術】
【０００２】
従来、宝石や硬度が高い素材は金、プラチナ、シルバー等の素材に複数個の爪を形成して、この複数個の爪で宝石や硬度が高い素材を留めている。
【０００３】
このような取付け方法では1個の宝石等を取付けるのは簡単に行なうことができるが、2個の宝石や硬度の高い素材を複合的に取付けようとしても、一方の宝石や硬度が高い素材に複数個の爪を形成することができず、不可能であるという欠点があった。
【特許文献１】特になし
【発明の開示】
【発明が解決しようとする課題】
【０００４】
本発明は以上のような従来の欠点に鑑み、宝石や硬度が高い素材を複合的に取付けて、装飾品のデザインの幅を拡大し、従来では考えることができない新たなる装飾品を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は取付孔が形成されたベース体と、このベース体の取付孔に下端部が挿入固定される上部に複数個の爪が形成された中央に軸孔を有する外側留部材と、この外側留部材の複数個の爪で取付けられる、該外側留部材の軸孔へ軸を挿入することができる軸挿入孔が形成された宝石や硬度の高い素材で形成された外側装飾品と、先端部に複数個の爪が形成された前記装飾品の軸挿入孔より前記外側留部材の軸孔を通過して揺れ動き可能あるいは固定的に該外側留部材の端部あるいは前記ベース体に取付けられる内側留部材と、この内側留部材の複数個の爪で取付けられた宝石や硬度の高い素材で形成された内側装飾品とで装飾品を構成している。
【発明の効果】
【０００７】
以上の説明から明らかなように、本発明にあっては次に列挙する効果が得られる。
【０００８】
（１）取付孔が形成されたベース体と、このベース体の取付孔に下端部が挿入固定される上部に複数個の爪が形成された中央に軸孔を有する外側留部材と、この外側留部材の複数個の爪で取付けられる、該外側留部材の軸孔へ軸を挿入することができる軸挿入孔が形成された宝石や硬度の高い素材で形成された外側装飾品と、先端部に複数個の爪が形成された前記装飾品の軸挿入孔より前記外側留部材の軸孔を通過して揺れ動き可能あるいは固定的に該外側留部材の端部あるいは前記ベース体に取付けられる内側留部材と、この内側留部材の複数個の爪で取付けられた宝石や硬度の高い素材で形成された内側装飾品とで構成されているので、従来、不可能である2個の宝石や硬度が高い素材を重ね合わせたように複合的に取付けることができる。
したがって、デザインの幅が広がり、新たなる装飾品にできる。
【０００９】
（２）前記（１）によって、内部留部材を外側宝石や硬度が高い素材の軸挿入孔を通過させて、外側留部材あるいはベース体に揺れ動き可能あるいは固定的に取付けることができるので、内側留部材が外側に表出するのを著しく低減して、デザインの向上を図ることができるとともに、揺れ動き可能に取り付けることにより、内部留部材に取りつけられた宝石や硬度の高い素材は揺れ動きにより、キラキラ光らせることができる。
【００１０】
（３）前記（１）によって、２個の宝石や硬度が高い素材で、花のデザインの装飾品を作ることができる。
【００１１】
（４）請求項2も前記（１）〜（３）と同様な効果が得られる。
【発明を実施するための最良の形態】
【００１２】
以下、図面に示す本発明を実施するための最良の形態により、本発明を詳細に説明する。
【００１３】
図1ないし図５に示す本発明を実施するための最良の第1の形態において、1は本発明の指輪としての装飾品で、この装飾品１は取付孔2および内壁面の取付孔2の外周部に凹部３が形成されたリング状のベース体4と、このベース体４の取付孔２に下端部が挿入固定される上部に複数個の爪５、５、５が形成された中央に軸孔６を有する金属材製の外側留部材７と、この外側留部材７の複数個の爪５、５、５で取付けられる中央部に軸挿入孔８が形成されたガラス、チタン、セラミックス等の硬度の高い素材で花弁形状の外側装飾品９と、先端部に複数個の爪１０、１０、１０が形成された前記外側装飾品９の軸挿入孔８より、前記外側留部材７の軸孔６を通過して、該外側留部材７の端部あるいは前記ベース体４に固定された金属材製の内側留部材１１と、この内側留部材１１の複数個の爪１０、１０、１０で取付けられる宝石を用いた内側装飾品１２とで構成されている。
【００１４】
上記構成の装飾品１は硬度の高い素材で花弁形状の外側装飾品９の中央部に硬度の高い花芯形状の宝石を用いた内側装飾品１２が位置した状態で、内側留部材１１でベース体４に取付けられているため、硬度の高い素材を重ね合わせで複合させた花形状の指輪の装飾品１となる。
[発明を実施するための異なる形態]
【００１５】
次に、図６ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図６ないし図８に示す本発明を実施するための第２の形態において、前記本発明を実施するための最良の第１の形態と主に異なる点は、外側留部材７に揺れ動き可能となるように内側留部材１１Ａのベース体４側の端部に、外側留部材７の軸孔６よりも大きな球状の係止片１３を形成して取付けた点で、このように構成した装飾品１Ａにしても、前記本発明を実施するための最良の第１の形態と同様な作用効果が得られるとともに、宝石を用いた内側装飾品１２を回転させることができる。
【００１７】
図９ないし図１１に示す本発明を実施するための第３の形態において、前記本発明を実施するための最良の第１の形態と主に異なる点は、ペンダント、ブローチ、ネックレス、イヤリングとして使用できる取付孔２が形成されたベース体４Ａを用いるとともに、外側装飾品９の軸挿入孔８に挿入される内側留部材１１の軸部との間に遊びを設けて、揺れ動きできるようにした点で、このようなベース体４Ａを用いて構成した装飾品１Ｂにしても前記本発明を実施するための最良の第１の形態と同様な作用効果が得られるとともに、内側留部材１１の揺れ動きによって、内側留部材１１に取り付けられた内側装飾品１２をキラキラ光らせることができる。
【００１８】
図１２ないし図１４に示す本発明を実施するための第４の形態において、前記本発明を実施するための第２の形態と主に異なる点は、内側留部材１１Ｂを上下に移動したり、先端部が水平方向に所定量移動するように、遊びを介して外側留部材７に取付けた点で、このように構成した装飾品１Ｃにしても、前記本発明を実施するための第２の形態と同様な作用効果が得られるとともに、使用時に内側留部材１１Ｂに取付けられた内側装飾品１２が移動して、異なる美観の向上を図ることができる。
【００１９】
なお、本発明にあっては外側装飾品９および内側装飾品１２として、宝石や硬度が高いガラス、チタン、セラミックス等の素材を用いて、形状、模様、発色、着色等のデザインを施したものであれば、どんな組み合わせでも用いることができる。
【産業上の利用可能性】
【００２０】
本発明は装飾品を製造する産業で利用される。
【図面の簡単な説明】
【００２１】
【図１】本発明を実施するための最良の第１の形態の平面図。
【図２】本発明を実施するための最良の第１の形態の正面図。
【図３】本発明を実施するための最良の第１の形態の側面図。
【図４】図１の４−４線に沿う拡大断面図。
【図５】本発明を実施するための最良の第１の形態の分解図。
【図６】本発明を実施するための第２の形態の平面図。
【図７】本発明を実施するための第２の形態の正面図。
【図８】図６の８−８線に沿う拡大断面図。
【図９】本発明を実施するための第３の形態の平面図。
【図１０】本発明を実施するための第３の形態の正面図。
【図１１】図９の１１−１１線に沿う拡大断面図。
【図１２】本発明を実施するための第４の形態の平面図。
【図１３】本発明を実施するための第４の形態の正面図。
【図１４】図１２の１４−１４線に沿う拡大断面図。
【符号の説明】
【００２２】
１、１Ａ、１Ｂ、１Ｃ：装飾品、２：取付孔、
３：凹部、                                        ４、４Ａ：ベース体、
５：爪、                                            ６：軸孔、
７：外側留部材                                ８：軸挿入孔、
９：外側装飾品、                            １０：爪、
１１、１１Ａ、１１Ｂ：内側留部材、
１２：内側装飾品、                                    １３：係止片。
【図１】
2008264288.tif 000003
【図２】
2008264288.tif 000004
【図３】
2008264288.tif 000005
【図４】
2008264288.tif 000006
【図５】
2008264288.tif 000007
【図６】
2008264288.tif 000008
【図７】
2008264288.tif 000009
【図８】
2008264288.tif 000010
【図９】
2008264288.tif 000011
【図１０】
2008264288.tif 000012
【図１１】
2008264288.tif 000013
【図１２】
2008264288.tif 000014
【図１３】
2008264288.tif 000015
【図１４】
2008264288.tif 000016